【事件の表示】
　特願２０００−　２６６２２「撮像装置」拒絶査定不服審判事件〔平成１３年　８月１０日出願公開、特開２００１−２１８０７７〕について、次のとおり審決する。
【結　論】
　本件審判の請求は、成り立たない。
【理　由】
１．手続の経緯
　
　本願は、平成１２年２月３日の出願であって、平成１７年９月１４日付けで拒絶査定がされ、これに対して平成１７年１０月２０日に拒絶査定不服審判が請求されるとともに、平成１７年１１月２１日付けで手続補正がなされ、当審において平成１９年１２月１０日付けで拒絶理由が通知され、平成２０年２月８日付けで手続補正がなされたものである。　
　前記平成２０年２月８日付けの手続補正は、補正前の請求項１ないし３を削除するものであり、特許法第１７条の２第４項に規定する要件を満たすものである。
　
　
２．本願発明
　
　平成２０年２月８日付けの手続補正書により補正された特許請求の範囲の請求項２には、下記のとおり記載されている。
　
「【請求項２】　少なくとも、被写体を撮影して画像データを出力する撮影手段と、
　前記画像データに段階的に強さの異なる所定の画像補正処理を行うことで、１つの画像データから複数の画像データを作成する画像処理手段と、
　前記画像処理手段が前記所定の画像処理を行う回数を設定する設定手段と、
　を備えた撮像装置において、
　前記所定の画像補正処理とは色変換処理であり、前記画像処理手段は、前記画像データに対してあらかじめ用意された複数の色変換係数を用いて、前記設定手段で設定された回数にしたがって、処理結果が段階的に異なる色変換処理を複数回行い、１つの画像データから処理結果が異なる複数の画像データを作成することを特徴とする撮像装置。」
　
　ここで、請求項２における「前記所定の画像処理を行う回数」なる記載について検討する。請求項２の当該記載箇所の前には「所定の画像処理」なる記載は存在せず「所定の画像補正処理」なる記載が存在すること、さらに、本願明細書の発明の詳細な説明の【００３５】、【００５２】には、色変換係数、エッジ強調係数、γ変換係数等の画像補正処理に用いる係数の係数変更回数を設定することが開示されていることを参酌すると、請求項２における「前記所定の画像処理を行う回数」なる記載は、「前記所定の画像補正処理を行う回数」の誤記であると認められる。
　
　したがって、請求項２に記載された発明（以下、「本願発明」という。）は、平成２０年２月８日付けの手続補正書により補正された明細書及び図面の記載からみて、次のとおりであると認められる。
　
「【請求項２】　少なくとも、被写体を撮影して画像データを出力する撮影手段と、
　前記画像データに段階的に強さの異なる所定の画像補正処理を行うことで、１つの画像データから複数の画像データを作成する画像処理手段と、
　前記画像処理手段が前記所定の画像補正処理を行う回数を設定する設定手段と、
　を備えた撮像装置において、
　前記所定の画像補正処理とは色変換処理であり、前記画像処理手段は、前記画像データに対してあらかじめ用意された複数の色変換係数を用いて、前記設定手段で設定された回数にしたがって、処理結果が段階的に異なる色変換処理を複数回行い、１つの画像データから処理結果が異なる複数の画像データを作成することを特徴とする撮像装置。」
　
　
３．引用例
　
　これに対して、当審の拒絶理由において引用した特開平１１−２９８８４８号公報（以下「引用例」という。）には図面と共に次の事項が記載されている。
　
ア）「【請求項１】被写体光像を画像信号に光電変換して取り込む撮像手段と、画像を表示する表示手段と、上記撮像手段で取り込まれた画像信号を一時、記憶する第１の記憶手段と、上記第１の記憶手段から上記画像信号を読み出し、予め設定された複数個の特性値でそれぞれ画像処理を行い、画質の異なる複数枚の画質見本画像を作成する見本画像作成手段と、上記見本画像作成手段で作成された複数枚の画質見本画像を上記表示手段に表示する表示制御手段と、上記表示手段に表示された複数枚の画質見本画像の内、いずれか１の画質見本画像を選択する画像選択手段と、上記第１の記憶手段から上記画像信号を読み出し、上記画像選択手段で選択された画質見本画像と同一の特性値で画像処理を行う画像処理手段と、上記画像処理手段で画像処理が行われた画像信号を保存する第２の記憶手段とを備えていることを特徴とするデジタルカメラ。」
　
イ）「【００３３】本デジタルカメラ１は、後述するように夕焼けモードにおいては、撮影画像に対して予め設定された複数種類のホワイトバランス調整（ＷＢ調整）を行い、これらのＷＢ調整の異なる複数のサムネイル画像をＬＣＤ表示部１０にモニタ表示して撮影者が所望のＷＢ調整値を選択できるようになっている。」　
　
ウ）「【００６２】撮影待機状態においては、撮像部３により１／３０（秒）毎に撮像された画像の各画素データがＡ／Ｄ変換器２０５〜γ補正回路２０８により所定の信号処理を施された後、画像メモリ２０９に記憶されるとともに、本体制御部２０１を介してＶＲＡＭ２１０に転送され、ＬＣＤ表示部１０に表示される。」
　
エ）「【００８９】また、本体制御部２０１は、夕焼けモードにおいて、図１５に示すように、ＷＢ調整具合の異なる複数のサムネイル画像ＳＧ１〜ＳＧ９（画質調整見本の画像）をＬＣＤ表示部１０にマトリックス表示するべく当該サムネイル画像ＳＧ１〜ＳＧ９を作成するサムネイル画像作成部２１９とこのサムネイル画像作成部２１９で作成された複数のサムネイル画像ＳＧ１〜ＳＧ９をマトリックス状に配列して表示画像（以下、この画像をプレビュー画像という。）を作成するプレビュー画像作成部２２０とを備えている。
【００９０】サムネイル画像作成部２１９は、図略のレベル調整回路とＷＢ調整回路とを有し、夕焼けモードが設定されているとき、画像メモリ２０９から所定の画素ピッチで画像データを粗くサンプリングしてサムネイル画像を作成するとともに、このサムネイル画像に所定のレベル調整及びＷＢ調整を施して夕焼け画像の色の調子の異なるサムネイル画像を作成する。本実施の形態では、夕焼け画像の色の調子として９種類の異なる調子が用意されており、サムネイル画像作成部２１９は、画像メモリ２０９から９回、画像データを粗くサンプリングしてサムネイル画像ＳＧ１〜ＳＧ９を９枚作成し、各サムネイル画像ＳＧ１〜ＳＧ９に下記表２に示すレベル調整及びＷＢ調整の処理を行い、順次、プレビュー画像作成部２２０に出力する。」
　
オ）【００９３】の表２には、複数のサムネイル画像ＳＧ１〜ＳＧ９（画質調整見本の画像）を作成するためのＷＢ調整について、Ｒ／Ｇを１、ｍ１、ｍ２（ｍ１＞ｍ２＞１．０）のいずれかとし、Ｂ／Ｇを１、１／ｎ１、１／ｎ２（ｎ１＞ｎ２＞１．０）のいずれかとすることが開示されている。
　
　前掲ア）ないしオ）の記載事項及び図面からみて、引用例には、次の発明（以下、「引用発明」という。）が記載されているものと認められる。
　
「少なくとも、被写体光像を画像信号に光電変換して取り込む撮像手段と、サムネイル画像作成部２１９と、画像メモリ２０９とを備え、撮影画像に対して予め設定された複数種類のホワイトバランス調整（ＷＢ調整）を行うデジタルカメラにおいて、
　撮像された画像の各画素データが、画像メモリ２０９に記憶され、
　前記サムネイル画像作成部２１９は、画像メモリ２０９から９回、画像データを粗くサンプリングしてサムネイル画像ＳＧ１〜ＳＧ９を９枚作成し、各サムネイル画像ＳＧ１〜ＳＧ９にレベル調整及びＷＢ調整の処理を行うことによりＷＢ調整具合の異なる複数のサムネイル画像ＳＧ１〜ＳＧ９（画質調整見本の画像）を作成するものであって、前記ＷＢ調整を、Ｒ／Ｇを１、ｍ１、ｍ２（ｍ１＞ｍ２＞１．０）のいずれかとし、Ｂ／Ｇを１、１／ｎ１、１／ｎ２（ｎ１＞ｎ２＞１．０）のいずれかとしてＷＢ調整を行うデジタルカメラ。」
　
　
４．対比
　
　本願発明と引用発明と対比する。
　引用発明の「被写体光像を画像信号に光電変換して取り込む撮像手段」は、撮像された画像の各画素データを出力するものであるから、本願発明の「被写体を撮影して画像データを出力する撮影手段」に相当する。
　
　また、引用発明の「サムネイル画像作成部２１９」は、撮像された画像データを記憶した画像メモリ２０９から９回、画像データを粗くサンプリングしてサムネイル画像ＳＧ１〜ＳＧ９を９枚作成するものであるから、１つの画像データから複数の画像データを作成していることは明らかであり、さらに、この作成した複数のサムネイル画像にレベル調整及びＷＢ調整（ホワイトバランス調整）の処理を行いＷＢ調整具合の異なる複数のサムネイル画像ＳＧ１〜ＳＧ９（画質調整見本の画像）を作成するものである。
　ここで、引用発明の前記「ＷＢ調整」は画像補正処理に該当する処理であるとは明らかであり、さらに、当該「ＷＢ調整」のＲ／Ｇを１、ｍ１、ｍ２（ｍ１＞ｍ２＞１．０）のいずれかとし、Ｂ／Ｇを１、１／ｎ１、１／ｎ２（ｎ１＞ｎ２＞１．０）のいずれかとすることは、画像補正処理を「１、ｍ１、ｍ２」、「１、１／ｎ１、１／ｎ２」という段階的に強さの異なる値で行うことといえるから、引用発明の「サムネイル画像作成部２１９」は、本願発明の「画像データに段階的に強さの異なる所定の画像補正処理を行うことで、１つの画像データから複数の画像データを作成する画像処理手段」に相当する。
　
　また、引用発明の前記「ＷＢ調整」、すなわち、ホワイトバランス調整は色を変換する処理であるから、本願発明の「色変換処理」に相当する。そして、引用発明は、前述したように、Ｒ／Ｇを１、ｍ１、ｍ２（ｍ１＞ｍ２＞１．０）のいずれかとし、Ｂ／Ｇを１、１／ｎ１、１／ｎ２（ｎ１＞ｎ２＞１．０）のいずれかとして「ＷＢ調整」、すなわち、「色変換処理」を行うものであるが、これらの値「１、ｍ１、ｍ２」、「１、１／ｎ１、１／ｎ２」は、ＲとＧの比、ＢとＧの比を段階的に決定している係数にほかならないので、段階的に強さの異なる複数の色変換係数といえ、また、色変換処理の実施に先立ってあらかじめ用意されていることは明らかである。よって、引用発明は、「１、ｍ１、ｍ２」、「１、１／ｎ１、１／ｎ２」というあらかじめ用意された複数の色変換係数を用いて、処理結果が段階的に異なる色変換処理を複数回行うことにより、色変換処理結果の異なる複数のサムネイル画像ＳＧ１〜ＳＧ９（画質調整見本の画像）を作成するものである。
　してみると、引用発明の「サムネイル画像作成部２１９」は、「画像データに対してあらかじめ用意された複数の色変換係数を用いて、処理結果が段階的に異なる色変換処理を複数回行い、１つの画像データから処理結果が異なる複数の画像データを作成する」点についても、本願発明の「画像処理手段」と一致している。
　
　また、引用発明の「デジタルカメラ」は、「撮像手段」、すなわち、「撮影手段」と、「サムネイル画像作成部２１９」、すなわち、「画像処理手段」とを備えた「デジタルカメラ」であり、本願発明の「撮像装置」に相当する。
　
　以上を踏まえると、本願発明と引用発明とは、
　
「少なくとも、被写体を撮影して画像データを出力する撮影手段と、
　前記画像データに段階的に強さの異なる所定の画像補正処理を行うことで、１つの画像データから複数の画像データを作成する画像処理手段と、
　を備えた撮像装置において、
　前記所定の画像補正処理とは色変換処理であり、前記画像処理手段は、前記画像データに対してあらかじめ用意された複数の色変換係数を用いて、処理結果が段階的に異なる色変換処理を複数回行い、１つの画像データから処理結果が異なる複数の画像データを作成する撮像装置。」
　
である点で一致し、以下の点で相違する。
　
（相違点）
　本願発明は、「画像処理手段が前記所定の画像補正処理を行う回数を設定する設定手段」を備えており、前記画像処理手段が前記設定手段で設定された回数にしたがって色変換処理を行うものであるのに対して、引用発明は、このような画像補正処理を行う回数を設定する設定手段を備えていない点。
　
　
５．当審の判断
　上記相違点について検討する。
　
　複数回の画像処理を行う画像処理装置において、画像処理を行う回数を設定する設定手段を設け、前記設定手段で設定された回数にしたがって画像処理を行うことは、特開平８−２７４９８６号公報、特開平１０−９７６３８号公報、特開平１１−１５９６０号公報に示されるように周知技術である。
　複数回の画像処理、特に色変換処理を行う引用発明に、このような周知技術を付加し、「画像処理手段が前記所定の画像補正処理を行う回数を設定する設定手段」を備え、前記画像処理手段が前記設定手段で設定された回数にしたがって色変換処理を行うとすることは、当業者であれば容易に想到し得るものである。
　
　特開平８−２７４９８６号公報には、図面と共に次の事項が記載されている。
「【請求項１】デジタル画像信号に対して所定の処理を行なう複数の処理部によってその処理部に設定された個々の画像処理を行なう画像処理装置において、前記複数の処理部の処理順序および処理回数を任意に設定する制御手段を備えたことを特徴とする画像処理装置。」
　
　また、特開平１０−９７６３８号公報には、図面と共に次の事項が記載されている。
「【００１３】図２（１）において、処理対象の画像（原画）が表示されているものとする。画像処理や表示そのものは従来の装置となんら変わらない。画面下部に処理指定部分があり、処理の指定ができる。例えば濃度、明度、色相、コントラスト、シャープネス等の変更が指定できる。ここでは濃度を変更する場合の操作を中心に本発明の装置の動作を説明する。
１．処理指定ボタンの「濃度」を指定する。
２．変化の種類を指定する。ここで変化の種類とは等差、等比、範囲、任意指定のことである。
濃度変換においても、１．単純に濃度を一定程度ずつ増／減する場合（等差）、２．一定割合で変更する場合（等比）、３．濃度範囲を拡大する（原画像で濃度範囲が狭くてよくわからない：黒く潰れている、白く飛んでいる等の場合に表示可能な濃度範囲いっぱいに広げる）場合や濃度範囲のある部分だけ拡大する等の処理がある。
【００１４】図２（２）は入力ウィンドウの例であり、種類を１．〜３．と指定した場合に入力された変化の単位値ｄ等により確認のためこれらをグラフ表示した状態である。等差の場合、始めの処理は元の濃度の値＋単位変化分ｄ（符号付）の値で変換を行い、次の処理では、元の濃度＋単位変化分×２の値で、その次の処理では元の濃度＋単位変化分×３の値で変換する。この処理回数はここでは３回にあらかじめ決めてあるが、指定できるようにすることもできる。」
　
　また、特開平１１−１５９６０号公報には、図面と共に次の事項が記載されている。
　「【００３０】例えば、画像処理部２によって所定のフラグに繰り返し回数が設定される。そして、ステップＳ２１における処理を実行する度に、そのフラグの値を１だけデクリメントする。そして、ステップＳ２４において、このフラグの値が０より大きければ前の処理を再度、実行すると判定し、このフラグの値が０以下であれば、前の処理を再度、実行しないと判断する。
（中略）
【００３２】これにより、図５に示すように、例えば、画像処理関数Ｃの処理を３回だけ繰り返し実行させるようにすることができる。即ち、画像処理部２は、画像処理関数Ｃの処理回数を指定する所定のフラグに３を設定しておく。これにより、画像処理関数Ｃは、図４を参照して上述したように、このフラグに従って、この関数の処理を３回だけ繰り返し実行する。」
　
　また、本願発明の効果についてみても、上記構成の採用に伴って当然に予測される程度のものにすぎず、格別顕著なものがあるともいえない。
　
　したがって、本願発明は、引用例に記載された発明及び周知技術に基づいて当業者が容易に発明をすることができたものである。
　
　
６．　むすび
　
　以上のとおり、本願発明は、引用例に記載された発明及び周知技術に基づいて当業者が容易に発明をすることができたものであるから、特許法第２９条第２項の規定により特許を受けることができない。
　したがって、その余の請求項について検討するまでもなく、本願は拒絶すべきものである。
　よって、結論のとおり審決する。